(57)【要約】【課題】  乾電池を収納する電池収納ユニットにおいて、動作中に電池交換可能な電池収納構造を提供する。【解決手段】 導電板であって乾電池正極と接触する正極導電板及び乾電池負極と接触する負極導電板と、前記負極導電板に設けられ乾電池の負極端子と接触し保持をするための弾性変形可能である複数の負極端子と、乾電池挿入後の収納孔からの脱落を防止する爪と、乾電池の意図していない排出を防止する押さえ壁と、押さえ壁を保持するばね部材と、ガイドからなる電池収納ユニットの構造であって、乾電池を挿入した際に既に載置されている乾電池が押し出され排出される交換構造とし、交換時に挿入される乾電池と既に載置された乾電池が一時的に並列接続になることで瞬断を回避させることによる。【選択図】  図２
2016085863.tif 000002
【特許請求の範囲】
【請求項１】
１以上の乾電池を収納する電池収納構造において、
新たな乾電池を挿入するための乾電池挿入口と、
使用済の乾電池を排出する乾電池排出口と、
前記新たな乾電池を前記乾電池挿入口に挿入する際に、前記乾電池を所定の収納位置へ誘導すると共に、前記新たな乾電池の挿入と連動して前記収納位置に収容されていた使用済の乾電池を前記乾電池排出口へ誘導して排出する乾電池ガイド構造と、
前記新たな乾電池およびまたは前記使用済の乾電池の正極と接触する正極導電板と、
前記新たな乾電池およびまたは前記使用済の乾電池の負極と接触する負極導電板と、
前記負極導電板または前記正極導電板のいずれかまたは両方を加圧する加圧構造と、を有し、
前記正極導電板および前記負極導電板は、前記新たな乾電池が前記収納位置に収まるまでの間、前記乾電池ガイド構造に沿って移動中の前記新たな乾電池および前記使用済の乾電池の正極および負極と接触する構造であることを特徴とする動作中に電池交換可能な電池収納構造。
【発明の詳細な説明】
【技術分野】
【０００１】
本発明は、乾電池の収納構造に関し、特に乾電池を交換する際の技術に関する。
【背景技術】
【０００２】
従来の乾電池を収納する電池収納ユニットは、乾電池を取り外し、新しい乾電池と交換する（例えば、特許文献１）。
【０００３】
しかしながら上述した電池収納ユニットは、乾電池を交換する際、電池収納ユニットと乾電池の接触が解除されるため、通電を保持することはできないという問題がある。
【先行技術文献】
【特許文献】
【０００４】
【特許文献１】特開２００１−３３９４９８
【発明の概要】
【発明が解決しようとする課題】
【０００５】
本発明は、上記問題を鑑みてなされたものであり、その課題は、乾電池を収納する電池収納ユニットにおいて、動作中に電池交換可能な電池収納構造を提供することにある。
【課題を解決するための手段】
【０００６】
上記課題を解決するために、本発明は、１以上の乾電池を収納する電池収納構造において、  新たな乾電池を挿入するための乾電池挿入口と、使用済の乾電池を排出する乾電池排出口と、前記新たな乾電池を前記乾電池挿入口に挿入する際に、前記乾電池を所定の収納位置へ誘導すると共に、前記新たな乾電池の挿入と連動して前記収納位置に収容されていた使用済の乾電池を前記乾電池排出口へ誘導して排出する乾電池ガイド構造と、前記新たな乾電池およびまたは前記使用済の乾電池の正極と接触する正極導電板と、前記新たな乾電池およびまたは前記使用済の乾電池の負極と接触する負極導電板と、前記負極導電板または前記正極導電板のいずれかまたは両方を加圧する加圧構造と、を有し、前記正極導電板および前記負極導電板は、前記新たな乾電池が前記収納位置に収まるまでの間、前記乾電池ガイド構造に沿って移動中の前記新たな乾電池および前記使用済の乾電池の正極および負極と接触する構造であることを特徴とする。
【発明の効果】
【０００７】
本発明によれば、乾電池の交換中は、新しい乾電池と古い乾電池が並列に接続されるので、動作中に電池交換可能な電池収納構造を提供することができる。
【図面の簡単な説明】
【０００８】
【図１】図１は、本発明の電池収納ユニットを有した機器の構成を示す斜視図である。
【図２】図２は電池収納ユニットの斜視図である。
【図３】図３は電池収納ユニットの正面図である。
【図４】図４は脱落防止用の爪の断面図である。
【図５】図５は乾電池挿入時の電池収納ユニットの斜視図である。
【図６】図６は乾電池交換時の電池収納ユニットの斜視図である。
【図７】図７は乾電池排出時の電池収納ユニットの斜視図である。
【発明を実施するための形態】
【０００９】
以下、本発明の実施例について図面を用いて説明する。
【００１０】
図１は、本発明の電池収納ユニット１１を有した機器の構成を示す斜視図である。本実施例における機器は、電池収納ユニット１１と、電池収納ユニット１１に載置される第一の乾電池２１と、電池収納ユニット１１を設置する筐体３１と、から構成される。
【００１１】
電池収納ユニット１１は、筐体３１に取り付けられ、乾電池を収容する乾電池ボックスである。また、電池収納ユニット１１は、乾電池を挿入するための挿入口と、挿入されている乾電池を排出する排出口を具備する。
【００１２】
第一の乾電池２１は、本構造の説明に使用するための乾電池であり、電池収納ユニット１１に予め収容されている乾電池である。
【００１３】
筐体３１は、乾電池によって電気を供給されることで動作する電子機器である。
【００１４】
次に、電池収納ユニット１１の構成について説明する。
【００１５】
図２は電池収納ユニット１１の斜視図である。電池収納ユニット１１は、正極導電板１２と，負極導電板１３と（正極導電板１２と負極導電板１３を総称して単に導電板と呼ぶ場合もある）  ，負極導電板１３に設けられ収納部の長手方向に弾性変形可能な線ばねである複数の負極端子１９と，ばね部材１４と，ばね部材１４によって保持された押さえ壁１５と，電池収納ユニット１１からの乾電池の脱落を防止するための脱落防止用の爪１６と，第二の乾電池１７と，ガイド１８と、から構成される。
【００１６】
正極導電板１２は、電池収納ユニット１１の内側の乾電池正極側に配置される板形状の導体である。
【００１７】
負極導電板１３は、電池収納ユニット１１の内側の乾電池負極側に配置される板形状の導体である。また、正極導電板１２及び負極導電板１３により導電が成される。
【００１８】
ばね部材１４は、電池収納ユニット１１の内側に固定され、乾電池挿入方向に弾性変形可能なばねである。
【００１９】
第二の乾電池１７は、本構造の説明に使用するための乾電池であり、電池収納ユニット１１に挿入される乾電池である。
【００２０】
ガイド１８は、電池収納ユニット１１の内側に固定され、乾電池が押しつけられることで乾電池の電池収納ユニット１１の排出口への移動を促すものである。
【００２１】
図３は電池収納ユニット１１の正面図である。電池収納ユニット１１に戴置される乾電池は、正極導電板１２及び負極導電板１３の端子間に挟み込まれる。乾電池を挟み込む際には負極導電板１３に設けられた負極端子１９が、乾電池の負極に接触して導電をなし、かつ負極端子１９の反力によって正極導電板１２側に乾電池が押し付けられ、乾電池と導電板の導電を保持する。
【００２２】
図４は脱落防止用の爪１６の断面図である。
【００２３】
脱落防止用の爪１６は正極導電板１２の方向から応力が加わることでＢ方向へ弾性変形可能なスナップフィットである。
【００２４】
第二の乾電池１７がＡ方向へ挿入される際には、第二の乾電池１７が脱落防止用の爪１６の斜面部４１を押すことでＢ方向に撓み挿入を許すが、挿入後は脱落防止用の爪１６が元の位置に戻ると共に脱落防止用の爪１６の返し５１によって、第二の乾電池１７が収納口から戻り出てしまうことを防止する。
【００２５】
図５は乾電池挿入時の電池収納ユニット１１の斜視図である。交換を行わない状態では、押さえ壁１５は、ばね部材１４の反力により第一の乾電池２１と接触し、脱落防止用の爪１６と連動して第一の乾電池２１が排出されることを防止する。第二の乾電池１７の挿入時に、既に戴置されている第一の乾電池２１がＡ方向へ押され移動した際には、押さえ壁１５を保持しているばね部材１４が収縮することで押さえ壁１５もＡ方向へ移動し、電池収納ユニット１１の下部への排出経路が確保される。
【００２６】
図６は乾電池交換時の電池収納ユニット１１の斜視図である。第二の乾電池１７の交換中の図であり、第二の乾電池１７は第一の乾電池２１を押してＡ方向へ移動させている。このとき、負極導電板１３に設けられた複数の負極端子１９は、交換される乾電池同士の負極導電範囲内に、移動中に必ず一以上接触するよう配置されている。具体的に複数の負極端子１９の何れかが、第一の乾電池２１と接触している状態から非接触の状態へ移行しようとすると、次段に設置された負極端子１９が、新たに第一の乾電池２１と接触する。これを動作を繰返すことにより第一の乾電池２１は、通電が保持される。また、乾電池の交換中は、第一の乾電池２１と第二の乾電池は並列接続となり、電池の交換中は常に通電が保持される。
【００２７】
図７は乾電池排出時の電池収納ユニット１１の斜視図である。乾電池交換時、第二の乾電池１７によって押された第一の乾電池２１はガイド１８によってＣ方向へと移動し押さえ壁１５の押さえから外れるため、電池収納ユニット１１の下部から排出される。第一の乾電池２１が排出された後はばね部材１４によって押さえ壁１５は元の位置に戻り第二の乾電池１７に接触し排出を防止する状態となる。
【００２８】
以上、本発明の実施例について説明した。
【００２９】
本実施例では、電池収納ユニット１１は、挿入口と、排出口を有し、第二の乾電池１７が電池収納ユニット１１に挿入されると、第二の乾電池２１は予め収容された第一の乾電池１７を押し出すことで交換がされる。その際、第一の乾電池２１およびまたは第二の乾電池１７は負極導電板１３に複数配置された負極端子１９と必ず一以上接触する。これにより、電池収容ユニット１１は、動作中に電池交換可能な電池収納構造を提供することができる。
【００３０】
尚、本実施例では、通電保持の手段として負極端子に線ばねを用いているが、導電体であり弾性変形可能な物体、例えばコイルばねでも代替可能である。また、本実施例における電池収納ユニットを複数使用し、電池収納ユニットのプラス極導電板と別の電池収納ユニットのマイナス極導電板を接続することで、複数の乾電池の直列接続による導電を可能とする。
【符号の説明】
【００３１】
１１  電池収納ユニット
１２  正極導電板
１３  負極導電板
１４  ばね部材
１５  押さえ壁
１６  脱落防止用の爪
１７  第二の乾電池
１８  ガイド
１９  負極端子
２１  第一の乾電池
３１  筐体
４１  斜面部
５１  返し
【図１】
2016085863.tif 000003
【図２】
2016085863.tif 000004
【図３】
2016085863.tif 000005
【図４】
2016085863.tif 000006
【図５】
2016085863.tif 000007
【図６】
2016085863.tif 000008
【図７】
2016085863.tif 000009